(57)【要約】【課題】  多くの女性が乳癌に対する正しい知識を身につけ、自己触診による正しい判断のもとに乳癌検診が受診でき、その結果として我が国の乳癌患者の死亡数を減少させることができる乳癌啓発用模型を得る。【解決手段】  触診により乳癌の自己検診を行うための指導用，触診行為を行う医療従事者の指導用および自己学習用として、適度な弾力を有する球体の一底面として直径の約２０％分を切り落として形成した球体を乳癌の腫瘤模型とし、乳癌の進行状況をあらわす大きさの異なる複数個の腫瘤模型を一つのケースに入れて構成する。前記腫瘤模型の個数は、直径５±１ｍｍ，１０±１ｍｍ，１５±１ｍｍ，２０±２ｍｍ，２５±２ｍｍ，３０±２ｍｍの６個で構成するのが好適である。【選択図】図１
0003134145.tif 000002
【実用新案登録請求の範囲】
【請求項１】
触診による乳癌検診の指導および説明に使用するため、適度な硬度を有する材質により直径の異なる６種類の球体のセットからなる乳癌の腫瘤（しこり）のモデル。各球体の直径はそれぞれ５±１ｍｍ、１０±１ｍｍ、１５±１ｍｍ、２０±２ｍｍ、３０ｍｍ±２ｍｍとする。
【請求項２】
請求項１の腫瘤モデルの球体を乳癌の腫瘤（しこり）の形状に近づけるため球体の底面を直径の２０％分切り落とした形状を有する。
【請求項３】
請求項１〜２における腫瘤モデルの材質は腫瘤に近い硬度を有する弾性ゴム、合成ゴム、天然ゴムなどからなる。
【考案の詳細な説明】
【技術分野】
【０００１】本考案は、触診による乳癌検診の指導および指導に適した、乳癌腫瘤モデルとしての異なる直径を有する球体に関する。腫瘤モデルとしての球体の直径は、乳癌の腫瘤の大きさとして意味のある６種類のサイズを提供することに関する。【０００２】本考案は、乳癌の自己検診を行うための指導用、あるいは触診行為を行なう医療従事者の指導、自己学習用に適した腫瘤モデルの提供に関する。この腫瘤モデルは、乳癌と乳癌検診を正しく理解できる教材の提供に関する。
【背景技術】
【０００３】我が国において近年の乳癌の増加は著しい。年間に約４０，０００人が罹患し、約１０，０００人が死亡している。言い換えれば、日本人女性の２０人に１人が一生のうちに乳癌に罹患するということになる。将来、欧米と同じく、８〜１０人に１人が乳癌に罹患することも予想されている。【０００４】乳癌死を防ぐ最も有効な方法は早期発見に尽きるといえる。本来は腫瘤径２ｃｍ以下で発見・治療されればほぼ９０％が完治する。さらに、直径２ｃｍ以下であれば、女性の象徴である乳房を失うことのない乳房温存術の適応も高まる。【０００５】その発見には、乳癌検診を受診する以前に各自ができることとして、自己触診が有用である。しかしながら一般には、乳房を触ってしこりを発見した時には既に手遅れである、という間違った認識が広まっている。
【考案が解決しようとする課題】
【０００６】乳房を触ってしこりを発見した時には手遅れであるという間違った認識を正し、国民の多くが乳癌に対する正しい知識を身につけ、自己触診を行い、さらに乳癌検診を受診するようになること。その結果として乳癌死を減らすことができる。
【課題を解決しようとする手段】
【０００７】乳癌の自己検診を行うための指導用、あるいは触診行為を行なう医療従事者の指導、自己学習用に適した腫瘤モデルにより、乳癌の腫瘤（しこり）を視覚的、触覚的にイメージしやすくし、それにより乳癌に関するさまざまな事項の説明に対する理解を容易にさせる。
【考案の効果】
【０００８】乳癌に関する知識を身につけることで、正しい自己触診の遂行、乳癌検診受診率の向上が見込まれ、それにより乳癌の早期発見、乳癌死の減少に寄与する。
【考案を実施するための最良の形態】
【０００９】この腫瘤のモデルの材質は乳癌の腫瘤（しこり）の感じに近い弾性ゴム、合成ゴム、天然ゴムなどが適している。形状は球体、大きさは直径５±１ｍｍ、１０±１ｍｍ、１５±１ｍｍ、２０±２ｍｍ、３０ｍｍ±２ｍｍの６種類とする。【００１０】球体の底面を直径の２０％を切り落とした形のものは、より乳癌の形状のイメージに近づけることができる。
【実施例】
【００１１】この腫瘤モデルを、平面の上に並べて、それらの上に複数枚のタオルやペーパータオルを重ねたもの、薄い布団、軟質プラスチック板などをのせ、その上から手の平・指先で触ることにより、乳癌の自己検診のトレーニングが可能である。【００１２】さらにこの腫瘤モデルを見せることにより、視覚的に乳癌に関する説明を容易にさせる。
【図面の簡単な説明】
【００１３】
【図１】直径５±１ｍｍ、１０±１ｍｍ、１５±１ｍｍ、２０±２ｍｍ、３０ｍｍ±２ｍｍの６種類の腫瘤モデルを示した平面図である。
【図２】直径５±１ｍｍ、１０±１ｍｍ、１５±１ｍｍ、２０±２ｍｍ、３０ｍｍ±２ｍｍの６種類の腫瘤モデルを示した断面図である。
【図３】直径５±１ｍｍ、１０±１ｍｍ、１５±１ｍｍ、２０±２ｍｍ、３０ｍｍ±２ｍｍの球体の底面を直径の２０％分切り落とした腫瘤モデルの平面図である。
【図４】直径５±１ｍｍ、１０±１ｍｍ、１５±１ｍｍ、２０±２ｍｍ、３０ｍｍ±２ｍｍの球体の底面を直径の２０％分切り落とした腫瘤モデルの断面図である。
【図１】
0003134145.tif 000003
【図２】
0003134145.tif 000004
【図３】
0003134145.tif 000005
【図４】
0003134145.tif 000006
【手続補正書】
【提出日】平成19年5月2日(2007.5.2)
【手続補正１】
【補正対象書類名】実用新案登録請求の範囲
【補正対象項目名】全文
【補正方法】変更
【補正の内容】
【実用新案登録請求の範囲】
【請求項１】
触診により乳癌の自己検診を行うための指導用，触診行為を行う医療従事者の指導用および自己学習用として、適度な弾力を有する球体の一底面として直径の約２０％分を切り落として形成した球体を乳癌の腫瘤模型とし、乳癌の進行状況をあらわす大きさの異なる複数個の腫瘤模型を一つのケースに入れて構成することを特徴とした、乳癌啓発用模型。
【請求項２】
腫瘤模型の個数を、直径５±１ｍｍ，１０±１ｍｍ，１５±１ｍｍ，２０±２ｍｍ，２５±２ｍｍ，３０±２ｍｍの６個で構成することを特徴とした、請求項１に記載の乳癌啓発用模型。
【請求項３】
腫瘤模型の素材が、乳癌の腫瘤と近似した弾力性を有した弾性体であることを特徴とした、請求項１又は請求項２に記載の乳癌啓発用模型。
【手続補正２】
【補正対象書類名】明細書
【補正対象項目名】全文
【補正方法】変更
【補正の内容】
【考案の詳細な説明】
【技術分野】
【０００１】  本考案は、乳癌と乳癌検診を正しく理解させる教材に関し、特に触診により乳癌の自己検診を行うための指導用，触診行為を行う医療従事者の指導用および自己学習用に適した、乳癌啓発用模型に関するものである。
【背景技術】
【０００２】  我が国において、近年の乳癌患者の増加には著しいものがある。具体的には、年間約４万人が罹患し、そのうち約１万人が死亡している。言い換えれば、日本人女性の約２０人に１人が一生のうちに乳癌に罹患するということになる。将来は、欧米と同じく約８〜１０人に１人が乳癌に罹患することも予想されている。【０００３】  上記乳癌による死亡を防ぐ最も有効な方法は、早期発見に尽きると言える。本来は、腫瘤径２ｃｍ以下で発見および治療されれば、ほぼ９０％が完治する。さらに、前記と同様に腫瘤径２ｃｍ以下であれば、女性の象徴である乳房を失うことのない乳房温存術への適応も高まるものである。乳癌の早期発見のためには乳癌検診を受診する必要があるが、該乳癌検診を受診する以前に各自ができることとして、自己触診が有用となる。
【考案の開示】
【考案が解決しようとする課題】
【０００４】  しかしながら、上記自己触診において、乳房を触ってしこりを発見した時にはすでに手遅れであるといった間違った認識が一般的に広まっている。【０００５】  本考案は、上記間違った認識を是正すべくなされたものであり、多くの女性が乳癌に対する正しい知識を身につけ、自己触診による正しい判断のもとに乳癌検診が受診でき、その結果として我が国の乳癌患者の死亡数を減少させることができる、乳癌啓発用模型を提供することを目的とする。
【課題を解決するための手段】
【０００６】  上記課題を解決するため、本考案の乳癌啓発用模型は、触診により乳癌の自己検診を行うための指導用，触診行為を行う医療従事者の指導用および自己学習用として、適度な弾力を有する球体の一底面として直径の約２０％分を切り落として形成した球体を乳癌の腫瘤模型とし、乳癌の進行状況をあらわす大きさの異なる複数個の腫瘤模型を一つのケースに入れて構成する。【０００７】  上記腫瘤模型の個数は、直径５±１ｍｍ，１０±１ｍｍ，１５±１ｍｍ，２０±２ｍｍ，２５±２ｍｍ，３０±２ｍｍの６個で構成するのが好適である。
【考案の効果】
【０００８】  本考案の乳癌啓発用模型を、乳癌の自己検診を行うための指導や触診行為を行う医療従事者の指導および自己学習に用いれば、多くの女性が乳癌に対する正しい知識を身につけることができる。このため、自己触診による正しい判断のもとに乳癌検診が受診でき、その結果として我が国の乳癌患者の死亡数の減少に寄与することができるという絶大なる効果を奏する。
【考案を実施するための最良の形態】
【０００９】  本考案を実施するための最良の形態を図を用いて説明する。【００１０】  図１は、本考案の乳癌啓発用模型の外形図であり、（ａ）は平面図、（ｂ）は正面断面図である。該図に示すように、本考案の乳癌啓発用模型は、触診により乳癌の自己検診を行うための指導用，触診行為を行う医療従事者の指導用および自己学習用として、適度な弾力を有する球体の一底面として直径の約２０％分を切り落として形成した球体を乳癌の腫瘤模型とする。【００１１】  上記のように、一底面を切り落として形成した球体は平面上に置いた時に転がることなく安定するとともに乳癌の腫瘤のイメージに近くなり、触診により乳癌の自己検診を行うための指導用，触診行為を行う医療従事者の指導用および自己学習用として使用しやすいものとなる。【００１２】  また、乳癌の腫瘤の大きさは進行状況により異なる。このため、腫瘤模型の個数は複数個で構成し、より正確には直径５±１ｍｍ，１０±１ｍｍ，１５±１ｍｍ，２０±２ｍｍ，２５±２ｍｍ，３０±２ｍｍの６個で構成するのが好適である。【００１３】  上記腫瘤模型の素材は、乳癌の腫瘤と近似した弾力性を有した弾性体とし、例えば天然ゴム，合成ゴム，合成樹脂などからなるが、特に材質は限定するものではない。
【実施例】
【００１４】  図２は本考案の乳癌啓発用模型を平板上に載せた状態の正面断面図であり、平板２上に、左側より直径５±１ｍｍの腫瘤模型１ａ，直径１０±１ｍｍの腫瘤模型１ｂ，直径１５±１ｍｍの腫瘤模型１ｃ，直径２０±２ｍｍの腫瘤模型１ｄ，直径２５±２ｍｍの腫瘤模型１ｅ，直径３０±２ｍｍの腫瘤模型１ｆの６個を載せている。【００１５】  ここで、上記平板２上に載せた６個の腫瘤模型１ａ〜１ｆの上に、複数枚のタオルやペーパータオル，薄い布団，軟質プラスチックシートなどを載せ、その上から手のひらや指先で触ることにより、触診により乳癌の自己検診を行うための指導，触診行為を行う医療従事者の指導および自己学習のトレーニングを行うことができる。【００１６】  また、上記平板２上に載せた６個の腫瘤模型１ａ〜１ｆを学習者に見せることにより、視覚的に乳癌に関する説明を容易に行うことができる。
【図面の簡単な説明】
【００１７】
【図１】本考案の乳癌啓発用模型の外形図である。
【図２】本考案の乳癌啓発用模型を平板上に載せた状態の正面断面図である。
【符号の説明】
【００１８】    １  腫瘤模型
２  平板
【手続補正４】
【補正対象書類名】図面
【補正対象項目名】全図
【補正方法】変更
【補正の内容】
【図１】
0003134145.tif 000007
【図２】
0003134145.tif 000008